(57)【特許請求の範囲】
【請求項１】
着座者の背部を支持する背凭れが、
強度部材である支持板と、
前記支持板の外側を覆うクッション部材と、を備え、
前記支持板は、
上方に向けて起立する下側起立壁と、
前記下側起立壁よりも上方で、かつ前記下側起立壁の後方にオフセットした位置から上方に向けて起立する上側起立壁と、
前記下側起立壁の上端と前記上側起立壁の下端を接続する接続壁と、を有し、
前記クッション部材は、側面視で前記上側起立壁の前側下方に凹状のスペースを残して前記接続壁の下面を覆う下面被覆部を有していることを特徴とする椅子。
【請求項２】
前記支持板の前記下側起立壁は、上方から下方に向かって前方に傾斜していることを特徴とする請求項１に記載の椅子。
【請求項３】
前記支持板の前記下側起立壁の後面側が保護部材によって覆われていることを特徴とする請求項１または２に記載の椅子。
【請求項４】
前記支持板は、床面上に設置される脚柱に支持され、
前記クッション部材は、
前記支持板の前面側を覆う前面被覆部と、
前記支持板の前記下側起立壁よりも上方側の両側部に配置されて前記前面被覆部と前記下面被覆部とを接続する側方被覆部と、をさらに有し、
各前記側方被覆部の下面が前記脚柱の支持面上に支持されていることを特徴とする請求項１〜３のいずれか１項に記載の椅子。
【請求項５】
前記支持板は、床面上に設置される脚柱に支持され、
前記脚柱の後面には、前記支持板の前記下側起立壁と略平行な傾斜面が設けられていることを特徴とする請求項２に記載の椅子。
【発明の詳細な説明】
【技術分野】
【０００１】
この発明は、劇場や講堂等で使用される椅子に関するものである。
【背景技術】
【０００２】
この種の椅子として、着座者の背部を支持する背凭れが、強度部材である支持板と、その支持板の外側を覆うクッション部材と、を備え、支持板の主要部とクッション部材が表皮材によって覆われたものが知られている（例えば、特許文献１，２参照）。
【先行技術文献】
【特許文献】
【０００３】
【特許文献１】特許第２９１２５６８号公報
【特許文献２】特許第３４５７４９６号公報
【発明の概要】
【発明が解決しようとする課題】
【０００４】
ところで、劇場や講堂等においては、限られた床面上のスペースに多数の椅子を配置する必要から、複数の椅子が床面上に横並びに近接して配置されるとともに、その横並びの椅子の列が前後方向にも複数配置される。この場合、前後に配置される椅子の離間幅は、スペース効率の観点からはできる限り狭めることが望ましいが、前後の椅子の離間幅を狭め過ぎると、前後の椅子間を通り抜けようとする通行者が移動しにくくなってしまう。特に、既に着座者が着座している椅子の前方を通行する場合には、通行者は足を上げざるを得ないので、通行が難しい。このため、限られた床面上のスペースであっても背凭れの後方側に充分な通り抜けスペースを確保することが望まれている。
【０００５】
また、劇場や講堂等では、椅子の座の下方等に手荷物等の物品を置くスペースを確保することが難しいため、座の前方の床面上に物品を置くことが多い。しかし、座の前方に前席の背凭れが近接して配置されている場合、座の前方の床面上に物品を載置しようとしても物品が前席の背凭れと干渉してしまう。
【０００６】
これらの対策として、背凭れの下方領域を上方領域に比較して前方側にオフセットさせ、それによって背凭れの後面側に、通行者の歩行スペースや物品の載置スペースを確保することが考えられる。この場合、背凭れの支持板を、下側起立壁（下方領域）が上側起立壁（上方領域）よりも前方側にオフセットする形状とする必要がある。
しかし、背凭れの支持板に下側起立壁を上側起立壁の前方側にオフセットして設けると、下側起立壁と上側起立壁の間を接続する接続壁の下面が、背凭れの後方を通り抜ける通行者の脚部（膝や腿）に臨むように位置されることになる。このため、背凭れの後方を通り抜けようとする通行者の脚部が接続壁の下面や角部に当接し、通行者と着座者の双方に不快感を与えることが懸念される。また、通行者から見て後方の座席にも着座者がいる場合には、通行者は足を上げざるを得ないため、こうした問題がより発生し易い。
【０００７】
そこでこの発明は、背凭れの後部の下方領域に充分なスペースを確保でき、しかも、背凭れの後方を歩く通行者の脚部が背凭れの背面に当接しても通行者に不快感を与えることのない椅子を提供しようとするものである。
【課題を解決するための手段】
【０００８】
この発明に係る椅子では、上記課題を解決するために以下の構成を採用した。
この発明に係る椅子は、着座者の背部を支持する背凭れが、強度部材である支持板と、前記支持板の外側を覆うクッション部材と、を備え、前記支持板は、上方に向けて起立する下側起立壁と、前記下側起立壁よりも上方で、かつ前記下側起立壁の後方にオフセットした位置から上方に向けて起立する上側起立壁と、前記下側起立壁の上端と前記上側起立壁の下端を接続する接続壁と、を有し、前記クッション部材は、側面視で前記上側起立壁の前側下方に凹状のスペースを残して前記接続壁の下面を覆う下面被覆部を有していることを特徴とする。
【０００９】
上記の構成により、背凭れの支持板の上側起立壁の下方に、上側起立壁に対して前側にオフセットして下側起立壁が配置されるとともに、接続壁の下方を覆う下面被覆部の下方に凹状のスペースが確保されることになる。このため、背凭れの後部下方領域に、通行者の歩行スペースや物品の載置スペースを充分に確保することが可能になる。また、支持板の接続壁の下面がクッション部材の下面被覆部によって覆われているため、背凭れの後方を歩行する通行者の脚部が接続壁付近に当接することがあっても、その当接衝撃がクッション部材の下面被覆部によって緩衝される。このため、通行者に不快感を与えにくいうえ、着座者にも衝撃が伝達されにくくなる。また、背凭れの支持板は、接続壁を挟んで前後に多段に屈曲若しくは湾曲して形成されるため、支持板の剛性が高められる。したがって、支持板の肉厚増加を招くことなく、支持板の充分な剛性を確保することができる。
【００１０】
前記支持板の前記下側起立壁は、上方から下方に向かって前方に傾斜するようにしても良い。
この場合、後座席の足元前方のスペースを拡大することができる。
【００１１】
前記支持板の前記下側起立壁の後面側が保護部材によって覆われるようにしても良い。
この場合、後座席の着座者の足先や背凭れの後方を歩く歩行者の脚部が下側起立壁に直接当接することがなくなる。このため、後座席の着座者の足先や歩行者の脚部が下側起立壁に直接当接して、当接衝撃が着座者に伝達されるのを回避することができる。
【００１２】
前記支持板は、床面上に設置される脚柱に支持され、前記クッション部材は、前記支持板の前面側を覆う前面被覆部と、前記支持板の前記下側起立壁よりも上方側の両側部に配置されて前記前面被覆部と前記下面被覆部とを接続する側方被覆部と、をさらに有し、各前記側方被覆部の下面が前記脚柱の支持面上に支持されるようにしても良い。
この場合、支持板の接続壁の下面を覆う下面被覆部が左右の側方被覆部を介して支持板の前面側を覆うクッション部材の前面被覆部に接続されるため、下面被覆部が支持板に安定的に保持される。また、左右の側方被覆部の各下面が脚柱の支持面上に支持されるため、左右の側方被覆部に接続される下面被覆部が脚柱に安定的に保持されることになる。したがって、この構成を採用することにより、下面被覆部の位置ずれを防止することができる。
【００１３】
前記支持板は、床面上に設置される脚柱に支持され、前記脚柱の後面には、前記支持板の前記下側起立壁と略平行な傾斜面が設けられるようにしても良い。
この場合、脚柱の後面の傾斜面が支持板の傾斜した下側起立壁と略平行になるため、脚柱の後方における後座席の足元スペースを拡大することができる。
【発明の効果】
【００１４】
この発明によれば、背凭れの支持板の上側起立壁の下方に、上側起立壁に対して前側にオフセットして下側起立壁が配置され、下側起立壁の上端と上側起立壁の下端を接続する接続壁の下面が、側面視で上側起立壁の前側下方に凹状のスペースが確保されるようにクッション部材の下面被覆部によって覆われている。このため、背凭れの後部の下方領域に充分なスペースを確保することができるうえ、背凭れの後方を歩く通行者の脚部が背凭れの背面に当接したときに通行者や着座者に不快感を与えるのを防止することができる。
【図面の簡単な説明】
【００１５】
【図１】この発明の一実施形態に係る椅子の斜視図である。
【図２】この発明の一実施形態に係る椅子の斜視図である。
【図３】この発明の一実施形態に係る椅子の側面図である。
【図４】この発明の一実施形態に係る椅子の分解斜視図である。
【図５】この発明の一実施形態に係る椅子の背凭れの断面図である。
【発明を実施するための形態】
【００１６】
以下、この発明の一実施形態を図面に基づいて説明する。
この実施形態に係る椅子１０は、劇場や講堂等に設置される椅子である。なお、以下の説明において、前後、左右、上下の各呼称は、特別に断らない限り、着座者が正規姿勢で着座したときにおける着座者を中心とした向きと合致する向きを意味するものとする。
【００１７】
図１は、この実施形態に係る椅子１０（連結椅子１）を前側右斜め上方から見た図であり、図２は、椅子１０（連結椅子１）を後側右斜め上方から見た図である。
この実施形態に係る椅子１０は、３つの椅子１０が横並びに一体に連結された連結椅子１として構成されている。連結椅子１は、施設の床面Ｆ上に横一列に所定数が並べて設置される。連結椅子１の横並びの列は、前後に所定距離離間して床面Ｆ上に複数設置されている。そして、前後の連結椅子１の間には、通行者が通り抜け可能なスペースが確保されている。
【００１８】
連結椅子１は、左右方向に所定の間隔をおいて床面Ｆ（設置部）上に固定設置された複数の（４つの）脚柱１１と、隣接する脚柱１１に取り付けられて着座者の臀部を支持する複数の（３つの）座１２と、隣接する脚柱１１に取り付けられて着座者の背部を支持する複数の（３つの）背凭れ１３と、を備えている。連結椅子１は、隣接する脚柱１１間に、それぞれ座１２と背凭れ１３を持つ３つの単体の椅子１０が形成されている。
なお、この実施形態においては、３つの椅子１０が横並びに一体に連結されて連結椅子１が構成されているが、横並びに一体に連結する椅子１０の数は３つに限らず任意である。
【００１９】
図３は、椅子１０（連結椅子１）を左側方から見た図であり、図４は、一の椅子１０を分解した連結椅子１を前側右斜め上方から見た図である。
各椅子１０の両側に配置される脚柱１１は、下端がアンカボルト等によって床面Ｆに固定される断面略長方形状の本体支柱１４と、本体支柱１４の側面にボルト締結等によって取り付けられる側壁板１５と、側壁板１５の上辺と前部辺とに沿って取り付けられる略Ｌ字状の肘掛け部材１６と、を備えている。側壁板１５の後部辺には、背凭れ１３を締結固定するための接合フランジ１７が一体に形成されている。接合フランジ１７は、各椅子１０を構成する側壁板１５間で相互に対向する方向に向かって屈曲している。また、側壁板１５の前部下方寄りの側面には、座１２を支持するための支持ブロック１８が取り付けられている。なお、図４においては、図示が省略されているが、側壁板１５の側部は化粧板によって覆われている。
【００２０】
座１２は、図示しない骨格部材の外側がクッション部材１９によって覆われた座本体２０と、座本体２０の外側を覆う表皮材２１と、を備えている。座本体２０には、骨格部材に連結される図示しない回動軸と、その回動軸の両端部を回動自在に支持する一対の保持筒２２を備えた回動機構２３が内蔵されている。回動機構２３の左右の保持筒２２は、側壁板１５の支持ブロック１８に回動不能に結合されている。座１２は、これにより跳ね上げ回動可能に左右の側壁板１５（脚柱１１）に支持されている。また、座１２は、使用時には前方に略水平に倒され、不使用時には図示しないリターンスプリングの力によって後方側に跳ね上げられる。
なお、図４に示すように、連結椅子１の左右方向の端部に配置される本体支柱１４には、本体支柱１４と側壁板１５の外側側方を覆う化粧板３１が取り付けられている。
【００２１】
図５は、椅子１０の背凭れ１３の縦断面を示す図である。
背凭れ１３は、図４，図５に示すように、合板等から成る強度部材である支持板２４と、支持板２４の外側を覆うウレタン樹脂等から成るクッション部材２５と、支持板２４の主要部とクッション部材２５の外側を覆う表皮材２６と、支持板２４の下部領域の後面に取り付けられる樹脂板や合板等から成る被覆板２７（保護部材）と、を備えている。
なお、支持板２４は、合板のような木材に限らず、合成樹脂等の他の材質によって形成することも可能である。
【００２２】
支持板２４は、上方に向けて起立する下側起立壁２８と、下側起立壁２８よりも上方で、かつ下側起立壁２８の後方にオフセットした位置から上方に向けて起立する上側起立壁２９と、下側起立壁２８の上端と上側起立壁２９の下端を接続する接続壁３０と、を有している。この実施形態の場合、下側起立壁２８と上側起立壁２９とは、下方から上方に向かって後方に（上方から下方に向かって前方に）所定角度傾斜している。
【００２３】
なお、図３，図５に示すように、この実施形態の支持板２４においては、下側起立壁２８と上側起立壁２９に対して接続壁３０の傾斜角が緩やかに変化する形状とされているが、図３中の仮想線３０Ａで示すように、接続壁２４は、下側起立壁２８と上側起立壁２９に対して傾斜角が大きく変化する形状であっても良い。この場合、接続部３０Ａの近傍部における背凭れ１３の剛性を高め、着座者の背部の支持安定性を高めることができる。
【００２４】
また、接続壁３０は、下側起立壁２８と上側起立壁２９に対し所定の鈍角の傾斜角度をもって傾斜している。この実施形態においては、支持板２４は、略長方形状に形成されている。支持板２４は、下側起立壁２８の左右の側縁の後面側が左右の側壁板１５の各接合フランジ１７に重ねられ、その各接合フランジ１７に対してボルト締結等によって固定される。この実施形態の場合、接合フランジ１７の後面１７ａが脚柱１１の後面を構成しているが、接合フランジ１７の後面１７ａは下側起立壁２８と略平行な傾斜面を構成している。
【００２５】
クッション部材２５は、支持板２４の前面の全域（下側起立壁２８、接続壁３０、上側起立壁２９の各前面）を覆う前側被覆部２５ａと、支持板２４の上側起立壁２９の後面を被う後側被覆部２５ｂと、支持板２４の接続壁３０及び上側起立壁２９の左右の側面をそれぞれ覆う一対の側方被覆部２５ｃと、接続壁３０の下面を覆う下面被覆部２５ｄと、を有している。
支持板２４の前面を覆う前側被覆部２５ａは、着座者の背部の荷重を直接受ける部分であるため全体が肉厚に形成されている。また、前側被覆部２５ａの左右の側縁部は、着座者の腰部付近の左右の側部を包み込むように保持するために、幅方向の中央領域に比較してより肉厚に形成されている。
【００２６】
上側起立壁２９の後面を被う後側被覆部２５ｂと、接続壁３０の下面を覆う下面被覆部２５ｄとは上下方向で連続して形成されている。後側被覆部２５ｂは比較的薄い略一定肉厚に形成されている。下面被覆部２５ｄは、その後面と後側被覆部２５ｂの後面とが面一になるように、後側被覆部２５ｂとの連接部から下端に向かって肉厚が漸増している。下面被覆部２５ｄは、側面視で上側起立壁２９の前側下方に凹状のスペースＳを残して接続壁３０の下面を覆っている。この実施形態の場合、下面被覆部２５ｄの下面は、接続壁３０の前端部と略同一高さとなっている。このため、下面被覆部２５ｄの左右方向と直交する方向の断面形状は、後部下端が略直角な略直角三角形状となっている。したがって、下面被覆部２５ｄの後部下端のコーナ部においては、上下と前後のいずれの方向についても最大の肉厚となっている。
【００２７】
また、左右の側方被覆部２５ｃは、前部側が前側被覆部２５ａの左右の各側部に接続されるとともに、後部側が後側被覆部２５ｂと下面被覆部２５ｄの左右の各側部に接続されている。そして、左右の側方被覆部２５ｃは、略一定幅の前側被覆部２５ａの両側の側端部から、側方に向かって厚み分だけ膨出している。また、この実施形態の場合、前側被覆部１９ａと後側被覆部２５ｃは上端部同士でも相互に接続されている。
クッション部材２５は、下側起立壁２８の後面を除くほぼ全域を覆うように支持板２４の外面に取り付けられる。
【００２８】
表皮材２６は、支持板２４に取り付けられたクッション部材２５の外側の全域を覆い、端末部が下側起立壁２８の後面の外縁部に適宜手段によって固定される。そして、下側起立壁２８に固定された表皮材２６の端末部は、下側起立壁２８の後面に締結固定される被覆板２７によって覆い隠される。
なお、被覆板２７の左右の側縁部は、左右の側壁板１５の各接合フランジ１７に対しても締結固定される。
【００２９】
ここで、背凭れ１３は、上述のように支持板２４の下側起立壁２８が被覆板２７とともに左右の側壁板１５の後部に締結されることによって左右の脚柱１１に固定されるが、このとき、クッション部材２５の左右の側方被覆部２５ｃの下面は、左右の肘掛け部材１６の後端側の上面（脚柱１１の支持面）に圧接状態で支持される。
【００３０】
以上のように、この実施形態に係る椅子１０は、背凭れ１３の支持板２４の上側起立壁２９の下方に、上側起立壁２９に対して前側にオフセットして下側起立壁２８が配置され、下側起立壁２８の上端部と上側起立壁２９の下端部とが接続壁３０によって接続されるとともに、接続部３０の下面が、側面視で上側起立壁２９の前側下方に凹状のスペースＳを残すようにして、クッション部材２５の下面被覆部２５ｄによって覆われている。このため、背凭れ１３の後部下方領域に、通行者の歩行や物品の載置が可能な大きなスペースＳを確保することができる。
【００３１】
また、この実施形態に係る椅子１０は、支持板２４の接続壁３０の下面がクッション部材２５の下面被覆部２５ｄによって覆われているため、背凭れ１３の後方を歩行する通行者の膝や腿が接続壁３０付近に当接することがあっても、その当接衝撃をクッション部材２５の下面被覆部１９ｄによって緩衝することができる。
したがって、この実施形態に係る椅子１０を採用した場合には、背凭れ１３の後部の下方領域に通行者の歩行や物品の載置が可能な大きなスペースＳを確保することができるうえ、背凭れ１３の後方を歩く通行者の膝や腿が背凭れ１３の後面に当接することがあっても、通行者や着座者に不快感を与えるのを防止することができる。
【００３２】
また、この実施形態に係る椅子１０において、背凭れ１３の支持板２４が、接続壁３０を挟んで前後に多段に屈曲若しくは湾曲して形成されるため、支持板２４の厚みを厚くすることなく剛性を効率良く高めることができる。
【００３３】
また、この実施形態に係る椅子１０では、支持板２４の下側起立壁２８が上方から下方に向かって前方に傾斜している。このため、後座席に着座した着座者の足元前方を有利に拡大することができる。
【００３４】
特に、この実施形態に係る椅子１０においては、脚柱１１の後面をなす接合フランジ１７の後面１７ａが、支持板２４の下側起立壁２８と略平行な傾斜面とされているため、
脚柱１１の後方における後座席の足元スペースも同様に有利に拡大することができる。
【００３５】
また、この実施形態に係る椅子１０の場合、支持板２４の下側起立壁２８の後面が被覆板２７によって覆われているため、後座席の着座者の足先や、背凭れ１３の後方を歩く歩行者の脚部（膝や腿）が下側起立壁２８に直接当接することがない。したがって、この構造を採用することにより、後座席の着座者の足先や歩行者の脚部が下側起立壁２８に直接当接するこによって、当接衝撃が着座者に大きく伝達されるのを回避することができる。
【００３６】
さらに、この実施形態に係る椅子１０においては、支持板２４の外側を覆うクッション部材２５が、支持板２４の前面側を覆う前側被覆部２５ａと、支持板２４の接続壁３０の下面を覆う下面被覆部２５ｄと、支持板２４の下側起立壁２８よりも上方側の両側部に配置されて前側被覆部２５ａと下面被覆部２５ｄを接続する側方被覆部２５ｃと、を有し、左右の側方被覆部２５ｃの下面がそれぞれ肘掛け部材１６の上面（脚柱１１の支持面）に支持されている。このため、クッション部材２５の下面被覆部２５ｄを、左右の側方被覆部２５ｃと前側被覆部２５ａを介して支持板２４に安定的に保持させることができるとともに、下面被覆部２５ｄを、左右の側方被覆部２５ｃの下面を通して左右の脚柱１１にも安定的に保持させることができる。このため、下面被覆部２５ｄに大きな荷重が入力されることがあっても、下面被覆部２５ｄの位置ずれを防止することができる。
【００３７】
なお、この発明は上記の実施形態に限定されるものではなく、その要旨を逸脱しない範囲で種々の設計変更が可能である。例えば、上記の実施形態においては、複数の椅子１０が横並びに一体に連結されて連結椅子１を構成しているが、各椅子は相互に連結されない単体の椅子であっても良い。
【００３８】
また、上記の実施形態においては、支持板２４の接続壁３０の下面を覆う下面被覆部２５ｄの上部に上側起立壁２８の後面を被う後側被覆部２５ｂが連続して形成されているが、後側被覆部２５ｂは必ずしも設けなくても良い。
また、支持板２４の下側起立壁２８の後面を被う被覆板２７には、鞄掛け等の吊り下げ部材を設け、背凭れ１３の後部下方のスペースＳへの物品の収納性をより高めるようにしても良い。
さらに、支持板２４に、強度を損なわない程度にスリットや凹部、切欠き等を形成し、背凭れ１３に寄り掛った際の着座感に変化を持たせるようにしても良い。
【符号の説明】
【００３９】
１０  椅子
１１  脚柱
１３  背凭れ
２４  支持板
２５  クッション部材
２５ａ  後面（傾斜面）
２５ａ  前側被覆部
２５ｃ  側方被覆部
２５ｄ  下面被覆部
２７  被覆板（保護部材）
２８  下側起立壁
２９  上側起立壁
３０  接続壁
【図１】
0006494102.tif 000002
【図２】
0006494102.tif 000003
【図３】
0006494102.tif 000004
【図４】
0006494102.tif 000005
【図５】
0006494102.tif 000006